(57)【要約】【課題】  構造が単純で、作業が容易なネイルアート台を提供すること。【解決手段】  下面に粘着剤層を持つシールを剥離自在に坦持するシール板と、シール板を収容するシール板収容部と、人の指先の位置決めを行なう指先位置決め部と、シール板の上方のシール板上方位置と前記指先位置決め部の上方の指先上方位置との間を往復動作自在に構成されたシール移送部材とを備え、シール移送部材の下端には粘着層が設けられ、シール板上方位置で、シール移送部材を下動させて、該シール移送部材の粘着層でシールを粘着し、シール移送部材を指先上方位置まで移送し、指先上方位置で、シール部材を下動させて、シールを粘着剤層で爪に貼着させるように構成されている。【選択図】図１
2006255088.tif 000002
【特許請求の範囲】
【請求項１】
下面に粘着剤層を持つシールを該粘着剤層を介して剥離自在に坦持するシール板と、前記シールが上となるようにして前記シール板を収容するシール板収容部と、人の指先の位置決めを行なう指先位置決め部と、前記シール板収容部に収容される前記シール板の上方のシール板上方位置と前記指先位置決め部の上方の指先上方位置との間を往復動作自在に構成されたシール移送部材とを備え、前記シール移送部材は少なくとも前記シール板上方位置と前記指先上方位置とで上下動自在に構成され、前記シール移送部材の下端には粘着層が設けられ、前記シール板上方位置で、人為的操作によって前記シール移送部材を下動させて、該シール移送部材の粘着層で前記シール板に坦持されている前記シールを粘着し、人為的操作によって前記シール移送部材を前記指先上方位置まで移送し、前記指先上方位置で、人為的操作によって前記シール部材を下動させて、前記シールを前記粘着剤層で前記指先の爪に貼着させるように構成されていることを特徴とするネイルアート台。
【請求項２】
前記シール板は円形に構成され、前記シール板の上面には円周方向に沿って前記シールが複数坦持され、一方、前記シール板収容部には、前記シール板が着脱自在に設置できる回転盤が設けられ、前記回転盤は人為的操作によって回転するように構成されていることを特徴とする請求項１記載のネイルアート台。
【請求項３】
前記ネールアート台のケースの側壁から、一部を外部に臨ませた操作ダイヤルが設けられ、前記操作ダイヤルは歯車機構によって前記回転盤と連係され、前記操作ダイヤルを回転させることによって、前記回転盤を回転させるようにしたことを特徴とする請求項２記載のネイルアート台。
【請求項４】
前記回転盤には前記シール板を位置決めする位置決め手段が設けられると共に、前記シール板には前記シールが等間隔に坦持され、前記ケースには前記歯車機構の動作によって回転する回転体が設けられ、前記回転体の外周には、前記シール板に坦持されている前記シールの枚数と同数の凹部又は凸部が円周方向に等間隔で設けられ、前記ケースには前記回転体の近くに前記凹部又は凸部に係合してクリック感を与える係合部が設けられ、前記凹部又は凸部と前記係合部との係合によって前記シール板上方位置下方に前記シールを位置させるように構成したことを特徴とする請求項３記載のネイルアート台。
【発明の詳細な説明】
【技術分野】
【０００１】
本発明は、ネイルアート台に関する。
【背景技術】
【０００２】
ネイルアートを容易に行なうことができるネイルアート台が提供されている（例えば、特許文献１）。
【０００３】
特許文献１のネイルアート台では、自分の好きな模様プレートを選び、それを台座の模様プレート固定くぼみに置き、それから、移動部材の細長い溝孔から、マニキュア液付与部材をはずし、このマニキュア液付与部材の下端にマニキュア液を塗ってから、また細長い溝孔に戻す。その後、移動部材を前に移動させ、マニキュア液付与部材を模様プレート上に移動させ、マニキュア液付与部材を下方に移動してその下端に塗ったマニキュア液を模様プレートに移す。マニキュア液付与部材を引上げてから移動部材を移動して、模様部材の上に転写部材を移動し、転写部材を押し、転写部材に模様プレートの模様を写す。指先を台座の指固定くぼみに置き、転写部材を引上げてから移動部材を後ろに移動し、転写部材が爪の上にくるようにし、転写部材を下に押して、模様を爪にプリントする。
【特許文献１】特開２００３−９９３８号公報（図１〜図４参照）
【発明の開示】
【発明が解決しようとする課題】
【０００４】
ところで、上記特許文献１のネイルアート台では、マニキュア液を使用して模様プレートを爪にプリントしているため、マニキュア液を模様プレートに付与するためにマニキュア液付与部材が必要であり、さらに、模様プレートを模様プレート固定くぼみから爪まで移動させるために移動部材が必要であるため、構造が複雑になる。また、特許文献１のネイルアート台では、マニキュア液をマニキュア液付与部材に塗布するために、該付与部材を台座から一旦引き抜き、それにマニキュア液を塗布した後に、該付与部材を再び台座に装着しなければならず、作業も極めて煩雑である。
【０００５】
本発明は、かかる問題点を解決するためになされたもので、構造が単純で、作業が容易なネイルアート台を提供することを目的としている。
【課題を解決するための手段】
【０００６】
請求項１記載のネイルアート台は、下面に粘着剤層を持つシールを該粘着剤層を介して剥離自在に坦持するシール板と、前記シールが上となるようにして前記シール板を収容するシール板収容部と、人の指先の位置決めを行なう指先位置決め部と、前記シール板収容部に収容される前記シール板の上方のシール板上方位置と前記指先位置決め部の上方の指先上方位置との間を往復動作自在に構成されたシール移送部材とを備え、前記シール移送部材は少なくとも前記シール板上方位置と前記指先上方位置とで上下動自在に構成され、前記シール移送部材の下端には粘着層が設けられ、前記シール板上方位置で、人為的操作によって前記シール移送部材を下動させて、該シール移送部材の粘着層で前記シール板に坦持されている前記シールを粘着し、人為的操作によって前記シール移送部材を前記指先上方位置まで移送し、前記指先上方位置で、人為的操作によって前記シール部材を下動させて、前記シールを前記粘着剤層で前記指先の爪に貼着させるように構成されていることを特徴とする。
【０００７】
請求項２記載のネイルアート台は、請求項１記載のネイルアート台において、前記シール板は円形に構成され、前記シール板の上面には円周方向に沿って前記シールが複数坦持され、一方、前記シール板収容部には、前記シール板が着脱自在に設置できる回転盤が設けられ、前記回転盤は人為的操作によって回転するように構成されていることを特徴とする。
【０００８】
請求項３記載のネイルアート台は、請求項２記載のネイルアート台において、前記ネールアート台のケースの側壁から、一部を外部に臨ませた操作ダイヤルが設けられ、前記操作ダイヤルは歯車機構によって前記回転盤と連係され、前記操作ダイヤルを回転させることによって、前記回転盤を回転させるようにしたことを特徴とする。
【０００９】
請求項４記載のネイルアート台は、請求項３記載のネイルアート台において、前記回転盤には前記シール板を位置決めする位置決め手段が設けられると共に、前記シール板には前記シールが等間隔に坦持され、前記ケースには前記歯車機構の動作によって回転する回転体が設けられ、前記回転体の外周には、前記シール板に坦持されている前記シールの枚数と同数の凹部又は凸部が円周方向に等間隔で設けられ、前記ケースには前記回転体の近くに前記凹部又は凸部に係合してクリック感を与える係合部が設けられ、前記凹部又は凸部と前記係合部との係合によって前記シール板上方位置下方に前記シールを位置させるように構成したことを特徴とする。
【発明の効果】
【００１０】
請求項１から４記載の発明によれば、シール移送部材の下端の粘着層によってシール収容部のシールを粘着し、シール移送部材を移動させることによってシールを爪まで移送し、そして、シールの裏面に配設した粘着剤層によってシールを爪に粘着させるので、構造は単純であり、操作も容易である。また、シール上に移動させたシール移送部材を下動させてシールを粘着し、そのシール移送部材を爪の上方まで移送し、そこでシール移送部材を下動させることによってシールを爪に貼着するので、操作が容易である。
【００１１】
また、請求項３記載の発明によれば、操作ダイヤルを回転させることによってシールを選択できるので、操作が容易である。
【００１２】
請求項４記載の発明によれば、シール毎の位置決めがされるので、シールの貼着作業が簡単に行える。
【発明を実施するための最良の形態】
【００１３】
以下に、本発明に係るネイルアート台を、図面を参照しながら説明する。
図１は本発明に係るネイルアート台の全体を示した斜視図、図２は図１のネイルアート台の蓋体を開いた状態を示した斜視図、図３はシート円板（シート板）の駆動機構を示した分解斜視図、図４および図５は動作状態を示した断面図である。
【００１４】
このネイルアート台１のケース２は、台座３と蓋体４とによって構成されており、それらは、後部においてヒンジ５によって互いに結合されている。
【００１５】
台座３の底壁３ａの中央部には、図３に示すように、支軸６が回転自在に立設されている。この支軸６には、下端から上端に向かって、大径部６ａ，小径部６ｂが形成されている。そして、小径部６ｂには、その長手方向に面取り７が施されている。また、支軸６の大径部６ａには、歯車８が一体に設けられ、この歯車８の下面には、位置決め用歯車（回転体）９が設けられている。この位置決め用歯車９は、後述するシール円板に等間隔に貼着されているシールの配設ピッチに対応している。
【００１６】
また、台座３の周縁におけるヒンジ５と反対側には、指先を保持する窪み（指先位置決め部）１０が形成されている。
【００１７】
また、台座３の底壁３ａには支軸１１が立設されている。そして、この支軸１１に、操作ダイヤル１２が回転自在に嵌合されている。この操作ダイヤル１２は周面にローレット１２ａが刻設されている。そして、操作ダイヤル１２は、その一部が側壁３ｂの切欠き１３から外方に露出して設けられている。この操作ダイヤル１２の下面には、歯車１４が設けられている。
【００１８】
さらに、台座３の底壁３ａにおける上記両支軸６，１１の中間にも、支軸１５が立設され、該支軸１５には中間歯車１６が回転自在に設けられている。そして、中間歯車１６は、歯車８，１４にそれぞれ噛合され、操作ダイヤル１２の回転は歯車１４，１６，８を介して支軸６に伝達される。
【００１９】
また、台座３の底壁３ａにおける位置決め用歯車９の周辺にクリック感を与える位置決め手段１７が設置されている。この位置決め手段１７は、底壁３ａに固定された２つのブロック１７ａ，１７ａと、それらのブロック１７ａ，１７ａ間に架設された弾性片１７ｂと、該弾性片１７ｂの中間部に突設された爪（係合部）１７ｃとによって構成されている。そして、爪１７ｃは、位置決め用歯車９の歯と歯の間の谷部（凹部）に噛合している。この谷部は、位置決め用歯車９の円周方向に、シール円板２３に坦持されているシール２６と同一数等間隔で設けられている。
【００２０】
上記支軸６の小径部６ｂおよび大径部６ａは、図４および図５に示すように、台座３の隔壁１８の孔１８ａを介して隔壁１８の上方に突出している。
一方、台座３は、回転盤１９を備えている。回転盤１９の中心には、上方へ突出するボス２０が設けられている。ボス２０には、軸心に、支軸６の小径部６ｂを収容する横断面がＤ字形の孔２１が形成されている。そして、回転盤１９の孔２１を、支軸６の小径部６ｂに嵌合することによって回転盤１９を支軸６に支持させる。この状態で支軸６が回転されると、支軸６の面取り７が回転盤１９の孔２１の平面部２１ａに当接し、回転盤１９を支軸６と一体的に回転させる。
また、ボス２０の周面には、半径方向外方に延びる凸部２２が２つ形成されている。
【００２１】
さらに、ネイルアート台１はシール円板（シール板）２３を備えている。シール円板２３の径寸法は、回転盤１９とほぼ同じ径寸法となっている。シール円板２３の中心には孔２４が形成されている。そして、シール円板２３には、該孔２４の周面の２箇所に、切欠き２５が形成されている。２つの切欠き２５は、回転盤１９に形成された２つの凸部２２に対応している。そして、シール円板２３を回転盤１９上に設置する場合には、孔２４をボス２０に合致させると共に、２つの切欠き２５を２つの凸部２２に合致させて嵌め込む。また、シール円板２３の上面には、剥離剤層２３ａが形成されており、該剥離剤層２３ａには、裏面に粘着剤層２６ａが設けられた複数のシール２６が、粘着剤層２６ａによって、円周方向に等間隔に且つシール円板２３の半径方向に所定間隔に貼着されている。円周方向のシール２６の数、半径方向のシール２６の数は幾つであってもよい。この場合、半径方向外側のシール２６の個数と内側のシール２６の個数を同数としてもよいが、その個数は異なっていてもよい。例えば、半径方向内側のシール２６の個数を半径方向外側のシール２６の個数の１／２にしてもよい。このようにすれば、操作ダイヤル１２を回転した際の位置決めが容易に行えることになる。
【００２２】
一方、蓋体４には、回転盤１９上に設置されたシール円板２３のシール位置（シール板上方位置）上方から窪み１０の上方位置（指先上方位置）まで延びる溝２７が形成されている。そして、溝２７を覆うようにして摘み２８が配置されている。この摘み２８は、溝２７に沿って摺動自在となるように蓋体４に配設されている。
摘み２８には、シール移送ロッド（シール移送部材）２９が上下動自在に配設されている。シール移送ロッド２９は、溝２７を貫通して下方に延び、上端にボタン２９ａを備えている。このシール移送ロッド２９は、スプリング３０によって上方に付勢されている。そして、このシール移送ロッド２９の下端には、粘着層３１が形成されている。この粘着層３１を設けるにあたっては、粘着層３１を有する又は粘着層３１を形成した部材をシール移送部材２９に貼り付けてもよい。例えば、両面テープや、ゴム等を使用することができる。
なお、シール円盤２３の半径方向に複数のシール２６が貼着されているシール円板２３を用いる場合には、シール移送ロッド２９の移動方向に沿って位置決め置決め手段を設けることが好ましい。例えば、シール移送ロッド２９の側部に凹部又は凸部を設け、蓋体４に、その凹部又は凸部とシール存在位置で弾性力によって係合してクリック感を醸し出す係合部を設けておくことが好ましい。また、溝２７に重ねてシール２６の配設ピッチで該溝２７の幅よりも大径の穴を形成しておく一方で、シール移送ロッド２３にフランジを形成しておき、大径の穴にフランジが合致した時だけ、ボタン２９ａが押し込めるような構造としてもよい。
【００２３】
そして、このネイルアート台１では、図６に示す、シール移送ロッド２９の粘着層３１とシール２６の表面との間の粘着力が、シール２６の裏面の粘着剤層２６ａとシール円板２３の剥離剤層２３ａとの粘着力よりも大きく、かつ、シール２６の粘着剤層２６ａと指先の爪Ａとの粘着力よりも小さく設定されている。
【００２４】
このように構成されたネイルアート台１は、以下のように使用される。
先ず、シール円板２３を回転盤１９上に装着する。次いで、操作ダイヤル１２を回転させて、爪Ａに貼着させるシール２６を選択して、そのシール２６を所定箇所に位置させる。次いで、爪Ａを窪み１０に収容させ、摘み２８を操作してロッド２９の先端を選択したシール２６上に位置させる。次いで、ボタン２９ａをスプリング３０の付勢力に抗して下動させ、ロッド２９先端の粘着層３１をシール２６に圧接させる。このとき、シール２６は、ロッド２９の粘着層３１の粘着力によって粘着される。次いで、ボタン２９ａの下動力を解除させることによって、ロッド２９を上昇させる。このとき、シール２６はシール円板２３から剥離される。次いで、摘み２８を操作してロッド２９の先端を爪Ａの上方まで移動させる。次いで、ボタン２９ａをスプリング３０の付勢力に抗して下動させ、ロッド２９先端のシール２６を爪Ａに圧接させる。このとき、シール２６は、爪Ａに粘着される。次いで、ボタン２９ａの下動力を解除させることによって、ロッド２９を上昇させる。このとき、シール２６はロッド２９の接着層３１から剥離される。
【図面の簡単な説明】
【００２５】
【図１】本発明に係るネイルアート台の全体を示した斜視図である。
【図２】図１のネイルアート台の蓋体を開いた状態を示した斜視図である。
【図３】図１のネイルアート台におけるシート円板の駆動機構を示した分解斜視図である。
【図４】図１のネイルアート台の縦断面図である。
【図５】図１のネイルアート台の動作状態を示した縦断面図である。
【図６】ロッド，シール，シール円板の粘着部を拡大して示した断面図である。
【符号の説明】
【００２６】
１  ネイルアート台
２  ケース
４  蓋体
５  ヒンジ
８  歯車
９  位置決め用歯車（回転体）
１０  窪み（指先位置決め部）
１２  操作ダイヤル
１４  歯車
１６  中間歯車
１７  位置決め手段
１９  回転盤
２３  シール円板（シール板）
２３ａ  剥離剤層
２６ａ  粘着剤層
２９  シール移送ロッド（シール移送部材）
【図１】
2006255088.tif 000003
【図２】
2006255088.tif 000004
【図３】
2006255088.tif 000005
【図４】
2006255088.tif 000006
【図５】
2006255088.tif 000007
【図６】
2006255088.tif 000008